(57)【要約】【課題】あらゆる土壌条件において、適正な局所施肥作業が行える局所施肥装置を提供する。【解決手段】機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプの先端部に開口させた施肥開口部を機体進行方向に対し交差する方向に開口したことにより、粘土地等の土壌条件においても施肥開口部を塞ぐことがなく土中施肥作業がスムーズに行える。【選択図】      図１
2004344117.tif 000002
【特許請求の範囲】
【請求項１】
機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプの先端部に開口させた施肥開口部を機体進行方向に対し交差する方向に開口したことを特徴とした局所施肥装置。
【請求項２】
機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプは先端部に開口した施肥開口部を有し、施肥パイプ内には、施肥パイプの長手方向を中心に回転される繰出軸と、前記施肥開口部の内側になる繰出軸の先端部の外周に放射状に設けた排出板と、排出板より掘削ケース側に設けたオーガにより構成された排出体を設けたことを特徴とした局所施肥装置。
【請求項３】
機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプの長手方向視にて、施肥パイプの先端部と掘削螺旋刃の先端部が重なるように掘削螺旋刃の先端部を径大としたことを特徴とする局所施肥装置。
【発明の詳細な説明】
【０００１】
【発明の属する技術分野】
本発明は、局所的に土壌を掘削し、土中に肥料を施肥する局所施肥装置に関する。
【０００２】
【従来の技術】
従来技術として、本体の進行方向に対して交差方向を取るように本体に取付られるとともに駆動体回転軸の回転方向と同方向に回転される掘削刃回転軸と、掘削刃回転軸から放射状をとるように掘削刃回転軸に基部が取り付けられ掘削刃回転軸を回転中心として回転されるとともに、基部から先端方向に延長される仮想中心線を回転中心として回転される螺旋刃と、掘削刃回転軸を回転中心として回転される螺旋刃の回転方向後方に掘削刃回転軸から放射状をとるように掘削刃回転軸に基部が取り付けられるとともに、筒状からなり内部に供給される肥料を先端から放出する肥料放出管とから構成され、螺旋刃と肥料放出管すなわち施肥パイプを回転させながら進行し、螺旋刃を土壌に対し局所的に掘削しながら施肥パイプを突き刺し、パイプ内を通過する肥料を土中に施肥する施肥装置が公知である。（特許文献１）
【０００３】
又、肥料を供給する施肥パイプの構成として、作業進行方向に対し対向する面すなわち施肥パイプの回転方向に対し、後方となる面に肥料供給孔を開口させることで、施肥パイプ内に土が詰まりにくく良好な施肥作業が行えるという試験結果が公表されている。（非特許文献１）
【０００４】
【特許文献１】
特開２００１‐６１３１８号公報
【非特許文献１】
「果樹栽培管理機開発事業受託研究報告書」，生物系特定産業技術研究推進機構農業機械化研究所，平成１０年３月，ｐ７−１０
【０００５】
【発明が解決しようとする課題】
しかしながら、従来技術の構成では螺旋刃の直後に肥料供給管の肥料供給孔を開口しているため、粘土地等の土壌条件では螺旋刃と肥料供給管の肥料供給孔の間に土の壁が形成され、肥料供給孔を塞いでしまうという課題がある。
【０００６】
又、螺旋刃により肥料供給孔に土が押し込められ詰まりの原因となっていた。そして、土壌条件の固い圃場では螺旋刃は駆動されるので土中に突き刺さっていくが、肥料供給管が土中に突き刺さることができず施肥作業が行えないことがあった。
【０００７】
そこで本発明は、あらゆる土壌条件において、適正な局所施肥作業が行える局所施肥装置を提供することを目的とする。
【０００８】
【課題を解決するための手段】
上記課題を解決するために、機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプの先端部に開口させた施肥開口部を機体進行方向に対し交差する方向に開口したことにより、粘土地等の土壌条件においても施肥開口部を塞ぐことがなく土中施肥作業がスムーズに行える。
【０００９】
機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプは先端部に開口した施肥開口部を有し、施肥パイプ内には、施肥パイプの長手方向を中心に回転される繰出軸と、前記施肥開口部の内側になる繰出軸の先端部の外周に放射状に設けた排出板と、排出板より掘削ケース側に設けたオーガにより構成された排出体を設けたことにより、施肥パイプ内に入り込もうとする土を強制的に排除することができるので、施肥開口部を塞ぐことがなく土中施肥作業がスムーズに行える。
【００１０】
機体の進行方向に対し交差方向となるよう取付けられるとともに、走行駆動部の走行駆動軸の回転方向と同方向に回転される掘削ケースと、この掘削ケースより放射状に延設され、延設方向を回転中心とし自転する掘削螺旋刃と、掘削ケースを回転中心とし回転される掘削螺旋刃の回転方向後方に掘削ケースより放射状に延設され、内部を肥料が通過するよう筒状とし先端部より施肥する施肥パイプとからなる掘削施肥部を設けた局所施肥装置において、施肥パイプの長手方向視にて、施肥パイプの先端部と掘削螺旋刃の先端部が重なるように掘削螺旋刃の先端部を径大としたことにより、固い土壌条件においても掘削螺旋刃が施肥パイプの突き刺し部分を掘削し柔らかくするので、施肥パイプが土中に刺さり込みやすくなりスムーズな土中施肥作業が行える。
【００１１】
【発明の実施の形態】
本発明を実施した図面に基づいて構成を説明する。図１は側面図、図２は一部断面とした斜視図、図３は正面図、図４は掘削施肥部を示す断面平面図、図５は掘削施肥部の掘削作業を示す作用図、図６は掘削施肥部の施肥作業を示す作用図である。
【００１２】
図１，図２，図３に基づいて局所施肥装置Ａの構成を説明する。本発明における局所施肥装置Ａは、機体を前後進される走行駆動部１と、圃場に掘削穴を開け土中に肥料を施肥する掘削施肥部２と、肥料を貯留し前記掘削施肥部２へ肥料を供給する貯留供給部３から構成される。
【００１３】
走行駆動部１は、フレーム１１と、フレーム１１に載置されたエンジン１２と、エンジン１２の下部に配置され、エンジン１２からの回転駆動力を入力し減速する走行ミッション１３と、走行ミッション１３より左右に延設され減速された回転駆動力にて回転する走行駆動軸１４と、走行駆動軸１４の外方端部に設けられ走行駆動軸１４が回転することにより駆動され、機体を前後進させるクローラからなる走行体１５から構成される。
【００１４】
フレーム１１にはエンジン１２を載置するメインフレーム１１ａと、メインフレーム１１ａに対し上下回動自在とした回動フレーム１１ｂにて構成され、回動フレーム１１ｂは掘削施肥部２と貯留供給部３が配置される。回動フレーム１１ｂは平行リンク機構からなり、配置された掘削施肥部２と貯留供給部３は、水平方向を保持したまま昇降動作をする。昇降駆動手段として、メインフレーム１１ａと回動フレーム１１ｂに伸縮手段であるシリンダ１１ｃが架設され、伸縮動作することにより掘削施肥部２と貯留供給部３を昇降させ、掘削の必要のない場所での移動や点検時に掘削施肥部２と貯留供給部３を持ち上げることができる。
【００１５】
エンジン１２は、回転駆動力を出力するエンジン出力軸１２ａを突設しており、エンジン出力軸１２ａの端部に駆動プーリ１２ｂが設けてある。走行ミッション１３は、エンジン１２の回転駆動力を入力する走行入力軸１３ａが突設しており、走行入力軸１３ａの端部に走行被動プーリ１３ｂが設けてある。
【００１６】
前記駆動プーリ１２ｂと前記走行被動プーリ１３ｂにはベルトａが巻架され、エンジン１２より出力される回転駆動力が走行ミッション１３へ入力される。走行ミッション１３に入力された回転駆動力は減速され、走行駆動軸１４を回転させ走行体１５のクローラを駆動する。走行体１５は、機体を前後進可能とすれば車輪を用いても良い。
【００１７】
２の掘削施肥部は、機体進行方向Ｆに延設した掘削施肥駆動体２１と、掘削施肥駆動体２１が連結される掘削施肥ミッション２２と、掘削施肥ミッション２２の進行方向に対し直交する内方側面に地面に対し水平に取付けられた掘削ケース２３と、掘削ケース２３より放射状に延設した掘削螺旋刃２４と、回転駆動される掘削ケース２３より放射状に延設し、前記掘削螺旋刃２４の回転方向後方に配置された施肥パイプ２５から構成され、前記回動フレーム１１ｂに配置される。
【００１８】
掘削施肥駆動体２１は、フレーム１１のメインフレーム１１ａに両端を軸支され進行方向に延設した掘削施肥駆動軸２１ａと、掘削駆動軸２１ａの一端に設けた掘削被動プーリ２１ｂと、掘削施肥駆動軸２１ａの他端と掘削施肥ミッション２２を連結するドライブシャフト２１ｃが設けられ構成される。掘削被動プーリ２１ｂと、エンジン出力軸１２ａに設けた駆動プーリ１２ｂにはベルトｂが巻架され、エンジン１２から回転駆動力はベルトｂを介して掘削施肥駆動軸２１ａへ伝達される。
【００１９】
掘削施肥ミッション２２は、進行方向に対し後方へ突設させた掘削施肥入力軸２２ａと、図４に示すように掘削施肥ミッション２２内に設けたベベルギヤ２２ｂ，２２ｂから構成され、掘削施肥入力軸２２ａは、前記掘削施肥駆動体２１のドライブシャフト２１ｃが連結され、エンジン１２の回転駆動力が入力される。入力された回転駆動力は、ベベルギヤ２２ｂ，２２ｂを介して９０°変換され掘削ケース２３へ出力される。
【００２０】
掘削ケース２３は、掘削施肥ミッション２２の進行方向Ｆに対し内方側面に回転自在に嵌合され、且つ地面に対し水平方向に延設される。内部に掘削駆動軸２３ａが設けてあり、掘削ミッション２２のベベルギヤ２２ｂ，２２ｂを介し出力される回転駆動力を入力し回転するとともに、掘削ケース２３を走行駆動軸１４と同方向に回転駆動される。
【００２１】
掘削螺旋刃２４は、先端部を径大としたコイル状のコイル刃からなり、基部を前記掘削駆動ケース２３に取付け放射状に延設される。掘削螺旋刃２４は、掘削ケース２３より回転駆動力を入力し延設方向を回転中心とし回転駆動され、掘削螺旋刃２４の先端が圃場に突き刺さるよう自転回転する。
【００２２】
施肥パイプ２５は、円筒状で先端部に円錐状の突刺部２５ａと、機体進行方向Ｆに対し交差する方向に施肥開口部２５ｂを有してなり、走行駆動軸１４と同方向に回転する掘削ケース２３に設け自転する掘削螺旋刃２４の回転方向後方に掘削ケース２３の回転中心より放射状をとるよう掘削ケース２３に取付けられる。
【００２３】
又、施肥パイプ２５の内部には、図４に示すように施肥パイプ２５ａの長手方向中心に、前記掘削ケース２３より延設させた回転駆動する繰出軸２５ｃが設けてあり、この繰出軸２５ｃの先端部には繰出軸２５ｃの回転中心より放射状に設けた排出板２５ｄと、排出板２５ｄより掘削ケース２３側の内方に螺旋状としたオーガ２５ｅからなる排出体が設けてある。
【００２４】
本実施例では、図示されるように、先端部を径大とした掘削螺旋刃２４を放射方向に一対設け、この一対の掘削螺旋刃２４の中間に施肥パイプ２５を配置することにより施肥パイプ２５の長手方向視にて、施肥パイプ２５の先端部を掘削螺旋刃２４の先端部が重なり、施肥パイプ２５の圃場に対する突刺し部分を掘削し柔らかくすることができる。又、一対の掘削螺旋刃２４と、一対の掘削螺旋刃２４の中間に配置した施肥パイプ２５を掘削ユニットとし、この掘削ユニットを掘削ケース２３を挟んで対向させるとともに９０°位相させ、２列に並べて計４個配置される。
【００２５】
３の貯留供給部は、肥料を貯留するホッパ３１と、ホッパ３１の底面に開口部を形成するシャッタ３２と、肥料を施肥パイプ２５へ供給する供給ドラム３３と、シャッタ３２にて形成された開口部より吐出された肥料を供給ドラム３３へ案内する案内管３４と、前記掘削施肥ミッション２１の進行方向前方に連結されたアジテータ駆動ミッション３５と、アジテータ駆動ミッション３５より上方へ突設したアジテータ駆動軸３６と、アジテータ駆動軸３６の先端部でホッパ３１内に設けたアジテータ３７から構成される。
【００２６】
ホッパ３１は略逆四角錐状からなり、肥料を貯留可能とする。シャッタ３２は、開口部を有した底板３２ａと、開口部の下面をスライド自在としたシャッタ板３２ｂからなり、底板３２ａの開口部とシャッタ板３２ｂの重合量に応じシャッタ開度量が調節可能で、シャッタ開度量に応じてホッパ３２内に貯留した肥料の吐出量が決定される。
【００２７】
３３の供給ドラムは、円錐台カバー３３ａと、供給管３３ｂ，３３ｃから構成され、円錐台カバー３３ａの径大面が掘削ケース２３に取付けられ、掘削ケース２３の回転とともに回転される。そして、供給管３３ｂはホッパ３１側の内方施肥パイプ２５と連結され、供給管３３ｃは外方の施肥パイプ２５と連結される。
【００２８】
３４の案内管は、シャッタ３２にて形成される開口部と、前記供給ドラム３３とを連結するもので、シャッタ３２のシャッタ開度量に応じ吐出される肥料が案内管３４を介して供給ドラム３３へ供給される。
【００２９】
３５のアジテータ駆動ミッションは、掘削施肥ミッション２２の掘削施肥入力軸２２ａより回転駆動力が伝達され、内部に備えられたウォームギヤ３５ａにより減速され上方へ突設したアジテータ駆動軸３５を回転させる。回転するアジテータ駆動軸３５の先端部に連結され、シャッタ３２の上面を沿うよう配置されたアジテータ３６は、回転することによりシャッタ開口部より肥料をスムーズに吐出させることが可能となる。
【００３０】
図５，図６に示すように、施肥作業は、機体走行と同時に掘削螺旋刃２４がｆ１方向に自転しながら掘削ケース２３がｆ２方向へ回転する。掘削ケース２３の回転中心は、機体進行方向Ｆとともに水平移動されるので掘削螺旋刃２４及び施肥パイプ２５は、圃場面を局所的に掘削する。掘削螺旋刃２４は、施肥パイプ２５の先端部２５ａと重なるよう径大としているため、施肥パイプ２５の突刺部を砕土するので、施肥パイプ２５は土中へ刺し込み易くなる。又、施肥パイプ２５の先端部に設けた円錐部２５ａにて掘削螺旋刃２４による砕土が荒く、固い圃場でも土中へ刺し込み易くしている。
【００３１】
そして、ホッパ３１よりシャッタ３２を介して吐出された肥料は、図６に示すように案内管３４を通過し供給ドラム３３へ流れ込み、供給ドラム３３の円錐台カバー３３ａに一時的に貯留される。供給ドラム３３が回転することにより、供給管３３ｂ，３３ｃの開口部が肥料の貯留部にくると肥料は供給ドラム３３を通過し、施肥パイプ２５内に供給される。施肥パイプ２５内に供給された肥料は自然落下し、施肥パイプ２５の先端部内すなわち施肥開口部２５ｂの内側に設けた排出板２５ｄ、及びオーガ２５ｅからなる排出体にて、進行方向に対し交差する方向へ開口させた施肥開口部２５ｂより強制的に土中へ放出され施肥される。
【００３２】
施肥開口部２５ｂを進行方向に対し交差する方向へ開口させたことにより、施肥パイプ２５内への土の入り込みが軽減される。排出板２５ｄ及び２５ｅからなる排出体は強制的に肥料を土中に放出するのと同時に、施肥パイプ２５内へ入り込もうとする土を排除する役目もする。
【００３３】
【発明の効果】
以上のように構成された局所施肥装置は、粘土地等の土壌条件においても機体進行方向に対し交差する方向に開口した施肥開口部を砕土された土で塞ぐことがなく、スムーズに土中施肥作業が行える。
【００３４】
又、施肥パイプ内に入り込もうとする土を施肥開口部の内側に設けた回転する排出板とオーガからなる排出体にて強制的に排除することができるので、施肥開口部を塞ぐことがなく土中施肥作業がスムーズに行える。
【００３５】
又、固い土壌条件においても掘削螺旋刃の先端部を径大としたことにより、掘削螺旋刃が施肥パイプの突き刺し部分を掘削し柔らかくするので、施肥パイプが土中に刺さり込みやすくなりスムーズな土中施肥作業が行える。
【図面の簡単な説明】
【図１】側面図
【図２】一部断面とした斜視図
【図３】正面図
【図４】掘削施肥部を示す断面平面図
【図５】掘削施肥部の掘削作業を示す作用図
【図６】掘削施肥部の施肥作業を示す作用図
【符号の説明】
１      走行駆動部
１１    フレーム
１１ａ  メインフレーム
１１ｂ  回動フレーム
１１ｃ  シリンダ
１２    エンジン
１２ａ  エンジン出力軸
１２ｂ  駆動プーリ
１３    走行ミッション
１３ａ  走行入力軸
１３ｂ  走行被動プーリ
１４    走行駆動軸
１５    走行体
２      掘削施肥部
２１    掘削施肥駆動体
２１ａ  掘削施肥駆動軸
２１ｂ  掘削被動プーリ
２１ｃ  ドライブシャフト
２２    掘削施肥ミッション
２２ａ  掘削施肥入力軸
２２ｂ  ベベルギヤ
２３    掘削ケース
２３ａ  掘削駆動軸
２４    掘削螺旋刃
２５    施肥パイプ
２５ａ  円錐部
２５ｂ  施肥開口部
２５ｃ  繰出軸
２５ｄ  排出板
２５ｅ  オーガ
３      貯留供給部
３１    ホッパ
３２    シャッタ
３２ａ  底板
３２ｂ  シャッタ板
３３    供給ドラム
３３ａ  円錐台カバー
３３ｂ，３３ｃ    供給管
３４    案内管
３５    アジテータ駆動ミッション
３５ａ  ウォームギヤ
３６    アジテータ
ａ，ｂ  ベルト
Ａ      局所施肥装置
Ｆ      進行方向
【図１】
2004344117.tif 000003
【図２】
2004344117.tif 000004
【図３】
2004344117.tif 000005
【図４】
2004344117.tif 000006
【図５】
2004344117.tif 000007
【図６】
2004344117.tif 000008